(57)【要約】【課題】パーソナルコンピュータの入力手段を用いて、テレビ電話の各種操作を容易に実行可能とする操作機能を実現する。【解決手段】相手先と通話中は、画像データと音声データを送受信しながら通話を実行しているが（ステップＳ３０１）、この時、ユーザが操作入力装置１６用いて画像保存指示をすると（ステップＳ３０２のＹ）、相手先より受信した画像を記憶装置１１の個人情報帳の画像情報に記録する処理を実行する（ステップＳ３０３）。そして操作入力装置１６により通話の終了操作を実行すると（ステップＳ３０４のＹ）、通話終了処理を実行し通話が終了する（ステップＳ３０５）。【選択図】      図３
2004235919.tif 000002
【特許請求の範囲】
【請求項１】
相手先端末と画像データ及び音声データの送受信を行う遠隔通話装置において、
相手先の宛先情報と画像データと含む個人データを複数有する個人情報帳を格納した記憶装置と、
前記記憶装置に格納された個人情報帳を検索して任意の個人データを呼び出し、この個人データに含まれる画像データと共に、通話開始のためのアイコンを表示する画像出力装置と、
前記画像出力装置に表示されたカーソルを移動させて前記アイコンを指定し、通話を開始させる通話開始手段とを具備し、
前記画像出力装置は通話開始後に前記画像出力装置に表示出力されている相手先から受信した画像データを任意のタイミングで取り込むよう、前記画像データと共に取り込み用アイコンを表示させることを特徴とする遠隔通話装置。
【請求項２】
前記取り込み用アイコンは、通話開始後に、前記通話開始のためのアイコンと表示が切り替わることを特徴とする請求項１記載の遠隔通話装置。
【請求項３】
相手先端末と画像データ及び音声データの送受信を行う遠隔通話装置において、
相手先の宛先情報と画像データと含む個人データを複数有する個人情報帳を格納した記憶装置と、
相手先から電話がかかってきた場合、前記個人情報帳を参照して得られた相手先の個人データに含まれる画像データと共に、通話を許可するためのアイコンを表示する表示する画像出力装置と、
前記画像出力装置に表示されたカーソルを移動させて前記アイコンを指定し、通話を開始させる通話開始手段とを具備し、
前記画像出力装置は通話開始後に前記画像出力装置に表示出力されている相手先から受信した画像データを任意のタイミングで取り込むよう、前記画像データと共に取り込み用アイコンを表示させることを特徴とする遠隔通話装置。
【請求項４】
前記取り込み用アイコンは、通話開始後に、前記通話を許可するためのアイコンと表示が切り替わることを特徴とする請求項１記載の遠隔通話装置。
【発明の詳細な説明】
【０００１】
【発明の属する技術分野】
本発明は、ネットワーク回線により接続された２点間で画像および音声の送受信を行う遠隔通話装置に関する。
【０００２】
【従来の技術】
従来より、遠隔２点間において、音声通話と同時に画像の送受信を行う機器、いわゆるテレビ電話装置が存在する。
このテレビ電話装置において、回線接続中に受信した相手の顔画面を記録し、電話帳データベースに登録可能な機能を有する装置が開示されている。
また、登録した顔画像を利用して、着信時に、着信して電話番号などをキーとして対応する顔画像を表示画面に表示して着信した相手の顔を識別できるようにする機能を有するものが開示されている。
【０００３】
【特許文献１】
特開平６−３１９１３７号公報  （図３）
【０００４】
【発明が解決しようとする課題】
しかし従来のテレビ電話は、据え置き型の電話機や、携帯電話機などを応用して実現したものであった。一方で、近年ＩＰテレビ電話と称するＴＣＰ／ＩＰネットワークに基づいた電話機能が実現されるようになった。このようなＩＰ電話では、電話端末としてパーソナルコンピュータ用いるようになっている。
【０００５】
このようにパーソナルコンピュータを用いてテレビ電話機能を使用する場合には、上述した顔画像の登録や、さらには着信時の応答操作をキーボードやマウスなどの入力デバイスを行って実行する必要がある。
【０００６】
しかし、従来のテレビ電話機器の操作方法などパーソナルコンピュータで適用した場合、新規に新たなボタンを設けたりすることにより、パーソナルコンピュータを普段利用しているユーザにとってはその操作しずらいという問題があった。
【０００７】
そこで本願発明では、パーソナルコンピュータの入力手段を用いて、テレビ電話の各種操作を容易に実行可能とする操作機能を実現することを目的とするものである。
【０００８】
【課題を解決するための手段】
本発明は、上述した課題を解決するため、相手先端末と画像データ及び音声データの送受信を行う遠隔通話装置において、相手先の宛先情報と画像データと含む個人データを複数有する個人情報帳を格納した記憶装置と、前記記録装置に格納された個人情報帳を検索して任意の個人データを呼び出し、この個人データに含まれる画像データと共に、通話開始のためのアイコンを表示する画像出力装置と、前記画像出力装置に表示されたカーソルを移動させて前記アイコンを指定し、通話を開始させる通話開始手段とを具備し、前記画像出力装置は通話開始後に前記画像出力装置に表示出力されている相手先から受信した画像データを任意のタイミングで取り込むよう、前記画像データと共に取り込み用アイコンを表示させるものである。
【０００９】
また本発明は上述した課題を解決するため、前記取り込み用アイコンは、通話開始後に、前記通話開始のためのアイコンと表示が切り替わるものである。
また本発明は上述した課題を解決するため相手先端末と画像データ及び音声データの送受信を行う遠隔通話装置において、相手先の宛先情報と画像データと含む個人データを複数有する個人情報帳を格納した記憶装置と、相手先から電話がかかってきた場合、前記個人情報帳を参照して得られた相手先の個人データに含まれる画像データと共に、通話を許可するためのアイコンを表示する表示する画像出力装置と、前記画像出力装置に表示されたカーソルを移動させて前記アイコンを指定し、通話を開始させる通話開始手段とを具備し、前記画像出力装置は通話開始後に前記画像出力装置に表示出力されている相手先から受信した画像データを任意のタイミングで取り込むよう、前記画像データと共に取り込み用アイコンを表示させるものである。
【００１０】
また本発明は上述した課題を解決するため、前記取り込み用アイコンは、通話開始後に、前記通話を許可するためのアイコンと表示が切り替わるものである。
【００１１】
【発明の実施の形態】
以下、図面を用いて、本発明の実施形態を説明する。
図１は、本発明の一実施例を示すパーソナルコンピュータの構成を示すブロック図である。
処理装置１０はパーソナルコンピュータ全体を制御する制御装置であり、装置内の各デバイスとのデータの送受信を行う。記憶装置１１は、個人情報帳１１ａや、アプリケーションプログラム１１ｂが格納されたハードディスク装置であり、処理装置１０の指示に基づいて読み出し、書き込み可能となっている。記憶装置１１に記録された個人情報帳１１ａは、テレビ電話機能で利用される各個人のデータが格納されている。具体的にはＩＰテレビ電話を実現するためのアドレス情報で、電話番号やメールアドレス情報等の宛先情報１１ｃや、各個人の顔の画像情報１１ｄである。これら宛先情報１１ｃと画像情報１１ｄを含む個人情報が、通話相手先の個人別にそれぞれ格納されている。アプリケーションプログラム１１ｂは、パーソナルコンピュータの動作を実行するためのソフトウェアであり、本実施形態におけるテレビ電話機能を実現するためのプログラムが含まれる。
【００１２】
画像出力装置１２は、パーソナルコンビュータの表示装置であり、ＩＰテレビ電話のアプリケーションプログラムの表示内容が表示され、その表示画面上にＩＰテレビ電話を操作するための操作ウィンドウや、顔画像などが同時表示される。
【００１３】
画像入力装置１３は、ユーザの顔を撮影するためのカメラでありパーソナルコンピュータ本体に設置されている。この画像入力装置１３で撮像された画像は通話先の端末に送信され、通話先にて顔画像が表示され、また自分の画像出力装置１２にも任意に表示される。
【００１４】
音声出力装置１４は、通話相手の音声を出力するスピーカであり、パーソナルコンピュータに内蔵されている。
音声入力装置１５は、ユーザの声を入力するマイクであり、パーソナルコンピュータ本体に設置され、ユーザの話し声を収音する。
操作入力装置１６は、キーボードやマウスなどパーソナルコンピュータに通常具備されている入力装置であり、個人情報の登録時や、テレビ電話の操作指示などに利用される。
【００１５】
回線１７は、ＩＰテレビ電話を動作させたときに、通話先の端末との音声や画像データを送受信するためのネットワーク回線であり、通常の電話回線や、ＬＡＮ回線などを指す。
【００１６】
このような構成を有する本実施形態でのＩＰテレビ電話の動作について、図２乃至図６を用いて説明する。
図２乃至図３は、本実施形態の動作を説明するためのフローチャートであり、ＩＰテレビ電話を利用した個人情報帳の登録動作に関するフローである。
まずＩＰテレビ電話を実行する際に、アプリケーションソフトウェアの起動処理などの初期化処理を実行する（ステップＳ２０１）。次に通信回線を介して通話相手に電話をかける場合（ステップＳ２０２）、記憶装置１１に記憶された個人情報帳１１ａの宛先情報及び画像情報を画像出力装置１２に表示出力する（ステップＳ２０３）。そして、画像出力装置１２に表示された個人情報を参照し、ユーザは操作入力装置
【００１７】
１６からの入力により、複数の個人情報の中から１つを選択する（ステップＳ２０４）。個人情報を選択するとその個人情報内の電話番号やメールアドレスなどを参照して、相手先に電話をかける（ステップＳ２０５）。そして電話をかけると同時に相手先に自分の顔情報などを撮像した画像データを送信するか否かを選択し（ステップＳ２０６）、画像送信を選択した場合には相手先に画像送信する（ステップＳ２０７）。このように自分から電話をかけた後に、通話相手が電話をとった場合、相手先との通話を実行し（ステップＳ２０８のＹ）、図４に示す通話中処理に以降する。一方、相手先が電話をとらない場合には、その後電話が切って（ステップＳ２０９のＹ）は、初期の状態も戻るか、電話を切らずに画像送信をし続ける（ステップＳ２０９のＮ）。
【００１８】
次に、自分から電話をかけず（ステップＳ２０２のＮ）、逆に相手からの着信に応じる場合、着信があると（ステップＳ２１０）、記憶装置１１内の個人情報帳を検索して、通話相手に対応する個人情報を画像出力装置１２に表示する（ステップＳ２１１）。そして、通話相手から、画像データが送信されてきた場合（ステップＳ２１２のＹ）には，送信されてきた画像を画像出力装置１３に表示し（ステップＳ２１３）、表示された画像データや、個人情報帳のデータ等から相手を確認した後に、電話に出るか否かを決定する。そして電話にでる場合（ステップＳ２１４のＹ）は相手先との通話が開始され、図４の通話中のフローに移行する。一方電話に出ない場合（ステップＳ２１４のＮ）は、通話が終了され初期の状態に戻る（ステップＳ２１５のＹ）。
【００１９】
次に、図３を用いて、相手先と通話中の動作について説明する。
相手先と通話中は、画像データと音声データを送受信しながら通話を実行しているが（ステップＳ３０１）、この時、ユーザが操作入力装置１６用いて画像保存指示をすると（ステップＳ３０２のＹ）、相手先より受信した画像を記憶装置１１の個人情報帳の画像情報に記録する処理を実行する（ステップＳ３０３）。そして操作入力装置１６により通話の終了操作を実行すると（ステップＳ３０４のｙ）、通話終了処理を実行し通話が終了する（ステップＳ３０５）。
【００２０】
このように本実施形態では自分から相手に電話をかける時には、個人情報帳を表示して相手の画像を確認してから電話をかけたり、また相手から電話がかかってきた時には相手の画像を確認したから電話をとったり、さらに通話中に相手の画像を個人情報帳に取り込んだりすることができるが、このような操作をパソコンで実行するためのユーザインタフェースについて図４乃至図６を用いて説明する。
【００２１】
図４は、相手先と通話中の画像出力装置１２に表示される表示画面を表したものである。この図のように、通話中は、相手の画像データ表示領域４１に表示された画像データと共に、通話終了を指示するアイコン４２が画像データの上部に表示され、画像取り込みを指示するアイコン４３が画像データの下部に表示される。そして、通話を終わらせたい時には、マウスなどの操作入力装置１６などでカーソル４４を通話終了アイコン上に移動させクリック操作により指示入力することで通話を完了させることができる。また通話中に相手の画像データを取り込んで個人情報帳１１ａに登録したい場合には画像取り込みアイコン４３を指定することにより任意のタイミングで相手先のから送信されてくる画像データを取り込むことができる。
【００２２】
図５は、電話をかける際の表示画面を表したものである。この図のように相手先に電話をかけるときには、個人情報帳１１ａから各個人情報データを検索する作業が必要であるため、画像データ表示領域４１に表示された画像データと共に、個人情報帳１１ａを検索するための検索アイコン４５が画像データの上部に表示され、電話をかけるためのアイコン４６が画像データの下部に表示される。
【００２３】
そして、個人情報帳１１ａの中から任意の個人データを検索するために、検索アイコン４５の中の「前の人」あるいは「次の人」のアイコン上にマウスなどの操作入力装置１６を利用してカーソル４４を移動させ所望の個人情報を表示させる。そして所望の個人情報を表示させたのちに、電話をかけるアイコン４６を指定することにより相手先に電話をかけることができるものである。そして相手先と通話が開始された場合には、図４のような表示内容に切り替わる。
【００２４】
図６は、相手先から電話がかかってきた時の表示画面を表したものである。この図のように相手先から電話がかかってきた場合には、相手先の画像データを表示す画像データ表示領域４１の下部に電話にでるためのアイコン４７が表示される。そして相手先からかかってきた電話をとりたい場合は、このアイコン４７を操作入力装置１６の操作により指示することにより通話を開始することができ、通話開始後はは、図４のような表示画面に切り替わるものである。
【００２５】
このように、パーソナルコンピュータを想定したテレビ電話の場合には、画像データ表示領域４１を中心として、その上部と下部に通話の状況に応じたアイコンを表示することにより操作性のようユーザインタフェースを実現できる。
【００２６】
以上のように本実施形態によれば、パーソナルコンピュータを用いてテレビ電話を実行する際に、記録装置に記録された個人情報帳を検索して通話を開始し、通話中の任意のタイミングで相手先の画像データを取り込んで個人情報帳に新たに登録することが簡単に実行できる。さらに通話前の状態から通話を開始した時に、画像データを中心にして操作アイコンのみ表示が切り替わるので操作性の良いテレビ電話機能を実現することができるものである。
【００２７】
【発明の効果】
パーソナルコンピュータの入力手段を用いて、テレビ電話の各種操作を容易に実行可能とする操作機能を実現することができる。
【図面の簡単な説明】
【図１】本発明の一実施例を示すパーソナルコンピュータの構成を示すブロック図である。
【図２】同実施形態でＩＰテレビ電話を利用した個人情報帳の登録動作に関するフローチャートである。
【図３】同実施形態でＩＰテレビ電話を利用した個人情報帳の登録動作に関するフローチャートである。
【図４】同実施形態における相手先と通話中の画像出力装置１２に表示される表示画面を表した図である。
【図５】同実施形態における電話をかける際の表示画面を表した図である。
【図６】同実施形態における相手先から電話がかかってきた時の表示画面を表した図である。
【符号の説明】
１０…処理装置、１１…記録装置、１２…画像出力装置、１３…画像入力装置、１４…音声出力装置、１５…音声入力装置、１６…操作入力装置。
【図１】
2004235919.tif 000003
【図２】
2004235919.tif 000004
【図３】
2004235919.tif 000005
【図４】
2004235919.tif 000006
【図５】
2004235919.tif 000007
【図６】
2004235919.tif 000008